(57)【要約】  テレビ信号を送信する方法（３００）は、第１のチッカ・データを含むチッカをビデオ・ストリームに埋め込む工程（３１０）と、別個のデータ・ストリームに第２のチッカ・データを含める工程（３２０）と、ビデオ・ストリーム及び別個のデータ・ストリームを多重化して、ディジタル・テレビ多重化伝送を生成する工程（３３０）と、ディジタル・テレビ多重化伝送を含む放送テレビ信号を放送する工程（３４０）であって、ディジタル・テレビ多重化伝送はビデオ・ストリーム及び別個のデータ・ストリームを更に含む工程とを含み、前記第１のチッカ・データを含むチッカがビデオ・ストリームに埋め込まれ、第２のチッカ・データは別個のデータ・ストリームに含められる。
2009543417.tif 000002
【特許請求の範囲】
【請求項１】
情報チッカを含むテレビ信号を送信する方法であって、
第１のチッカ・データを含むチッカをビデオ・ストリームに埋め込む工程と、
別個のデータ・ストリームに第２のチッカ・データを含める工程と、
前記ビデオ・ストリーム及び前記別個のデータ・ストリームを多重化してディジタル・テレビ多重化伝送を生成する工程と、
前記ディジタル・テレビ多重化伝送を含む放送テレビ信号を放送する工程であって、前記ディジタル・テレビ多重化伝送は前記ビデオ・ストリーム及び前記別個のデータ・ストリームを更に含む工程とを含み、前記第１のチッカ・データを含む前記チッカが前記ビデオ・ストリームに埋め込まれ、前記第２のチッカ・データは前記別個のデータ・ストリームに含められる方法。
【請求項２】
請求項１記載の方法であって、前記多重化伝送を含む放送テレビ信号を放送する工程は、
前記ディジタル・テレビ多重化伝送をキャリア信号に８−ＶＳＢ変調を使用して変調して放送テレビ信号を生成する工程と、
前記放送テレビ信号を地上で放送する工程とを含む方法。
【請求項３】
請求項１記載の方法であって、前記多重化伝送を含む放送テレビ信号を放送する工程は、
前記ディジタル・テレビ多重化伝送をキャリア信号にＭ−ＱＡＭ変調を使用して変調して放送テレビ信号を生成する工程と、
前記放送テレビ信号をケーブル・テレビ・システムを介して放送する工程とを含む方法。
【請求項４】
請求項１記載の方法であって、前記多重化伝送を含む放送テレビ信号を放送する工程は、
前記ディジタル・テレビ多重化伝送をキャリア信号に変調して放送テレビ信号を生成する工程と、
前記放送テレビ信号を衛星伝送システムを介して放送する工程とを含む方法。
【請求項５】
請求項１記載の方法であって、前記データ・ストリームは、視聴者の命令に応じて、前記第２のチッカ・データの表示を制御するために、受信器によって回復し、実行することが可能な拡張チッカ・アプリケーションを含む方法。
【請求項６】
請求項５記載の方法であって、前記拡張チッカ・アプリケーションは、第１のチッカにオーバレイする第２のチッカを生成するよう適合され、前記拡張チッカ・アプリケーションは、前記第２のチッカの表示を一時中断し、早送りし、逆送りするよう適合された方法。
【請求項７】
放送テレビ信号によって受信されたチッカ情報を処理する方法であって、
ビデオ・ストリーム及び別個のデータ・ストリームを含むディジタル・テレビ多重化伝送を含む放送テレビ信号を受信する工程であって、第１のチッカ・データを含む第１のチッカが前記ビデオ・ストリームに埋め込まれ、第２のチッカ・データが前記別個のデータ・ストリームに含められる工程と、
前記ビデオ・ストリームを前記ディジタル・テレビ多重化伝送から回復し、前記埋め込まれた第１のチッカを含む、表示するためのビデオ信号をそこから生成する工程と、
前記第２のチッカ・データを前記ディジタル・テレビ多重化伝送の前記データ・ストリームから回復する工程と、
前記第２のチッカ・データの少なくとも選択された部分を含む第２のチッカを生成する工程と、
前記第２のチッカを前記ビデオ信号と合成して修正ビデオ信号を生成する工程であって、前記修正ビデオ信号が、前記第１のチッカの隣に、又は前記第１のチッカの代わりに前記第２のチッカを含む工程と、
前記修正ビデオ信号をディスプレイ装置に供給して前記第２のチッカを表示する工程とを含む方法。
【請求項８】
請求項７記載の方法であって、前記データ・ストリームは拡張チッカ・アプリケーションを含み、
前記拡張チッカ・アプリケーションを前記データ・ストリームから抽出する工程と、
前記第２のチッカを制御するよう前記拡張チッカ・アプリケーションを実行する工程とを更に含む方法。
【請求項９】
請求項７記載の方法であって、
前記第２のチッカ内のデータ項目を選択し、前記選択されたデータ項目に対して更なる処理を行う旨の命令を視聴者から受信する工程と、
前記選択されたデータ項目に対して前記更なる処理を行う工程とを更に含む方法。
【請求項１０】
請求項９記載の方法であって、前記更なる処理は、
前記選択されたデータ項目に関連付けられた更なるデータを表示する工程を含み、前記更なるデータは、前記第２のチッカ・データに含まれる方法。
【請求項１１】
請求項９記載の方法であって、前記更なる処理は、前記選択されたデータ項目に関して前記視聴者との取引を行う工程を含む方法。
【請求項１２】
請求項９記載の方法であって、前記第２のチッカ・データは、時間遅延させた株式市場速報データ及びリアルタイム株式市場データを含み、前記更なる処理は、前記リアルタイム株式市場データを前記視聴者に向けて表示することを可能にする工程を含む方法。
【請求項１３】
請求項７記載の方法であって、
前記第２のチッカの速度又は方向を変える旨の命令を視聴者から受信する工程と、
それに応じて、前記第２のチッカの速度又は方向を変える工程とを更に含む方法。
【請求項１４】
情報チッカを含むテレビ信号を送信する放送テレビ送信器であって、
第１のチッカを含むチッカをビデオ・ストリームに埋め込む手段と、
第２のチッカ・データを別個のデータ・ストリームに含める手段と、
前記ビデオ・ストリーム及び前記別個のデータ・ストリームを多重化してディジタル・テレビ多重化伝送を生成する手段と、
前記ディジタル・テレビ多重化伝送を含む放送テレビ信号を放送する放送手段であって、前記ディジタル・テレビ多重化伝送は前記ビデオ・ストリーム及び前記別個のデータ・ストリームを更に含む放送手段とを備え、第１のチッカ・データを含む前記チッカが前記ビデオ・ストリームに埋め込まれ、前記第２のチッカ・データが前記別個のデータ・ストリームに含められる放送テレビ送信器。
【請求項１５】
放送テレビ信号によって受信されたチッカ情報を処理する放送テレビ受信器であって、
ビデオ・ストリーム及び別個のデータ・ストリームを含むディジタル・テレビ多重化伝送を含む放送テレビ信号を受信する手段であって、第１のチッカ・データを含む第１のチッカが前記ビデオ・ストリームに埋め込まれ、第２のチッカ・データが前記別個のデータ・ストリームに含められる手段と、
前記ビデオ・ストリームを前記ディジタル・テレビ多重化伝送から回復し、前記埋め込まれた第１のチッカを含む、表示するためのビデオ信号をそこから生成する手段と、
前記第２のチッカ・データを前記ディジタル・テレビ多重化伝送の前記データ・ストリームから回復する手段と、
前記第２のチッカ・データの少なくとも選択された部分を含む第２のチッカを生成する手段と、
前記第２のチッカを前記ビデオ信号と合成して修正ビデオ信号を生成する手段であって、前記修正ビデオ信号が、前記第１のチッカの代わりに前記第２のチッカを含む手段と、
前記修正ビデオ信号をディスプレイ装置に供給して前記第２のチッカを表示する手段とを備える放送テレビ受信器。
【請求項１６】
請求項１５記載の放送テレビ受信器であって、前記拡張チッカ・アプリケーションを前記データ・ストリームから抽出する手段、及び前記第２のチッカを制御するよう前記拡張チッカ・アプリケーションを実行する手段を更に備える放送テレビ受信器。
【請求項１７】
請求項１５記載の放送テレビ受信器であって、前記第２のチッカ内のデータ項目を選択し、前記選択されたデータ項目に関する更なる処理を行う旨の命令を視聴者から受信する手段、及び前記選択されたデータ項目に関する前記更なる処理を行う手段を更に備える放送テレビ受信器。
【請求項１８】
請求項１５記載の放送テレビ受信器であって、前記第２のチッカの速度又は方向を変える旨の命令を視聴者から受信し、それに応じて、前記第２のチッカの速度又は方向を変える放送テレビ受信器。
【発明の詳細な説明】
【技術分野】
【０００１】
本発明は、テレビ信号のマルチメディア・データに関し、特に、放送テレビ信号において拡張「チッカ」データ及び機能を放送し、受信する方法に関する。
【背景技術】
【０００２】
本明細書及び特許請求の範囲記載の「チッカ」は、スクロール・ディスプレイであって、新たな情報又はデータが現れ、ディスプレイ画面の一方端（通常、右側）で表示領域に入り、ディスプレイ画面のその一方端から他方端（通常、左側）までスクロールし、その他方端で画面を出るスクロール・ディスプレイを表す。更に、本明細書及び特許請求の範囲の記載では、信号は、ソースが地上放送送信器であっても、衛星送信器であっても、ケーブルのヘッドエンドであっても、複数の宛先端末によって受信されるために、ソースから送信される都度、「放送される」といえる。ケーブル・システム内に無線中継器又は増幅器、及び信号分割器が存在していても、信号の放送特性は否定されない。
【０００３】
テレビ・ビデオ信号に含まれる種々の「チッカ」は周知である。例には、地上放送テレビ信号、ケーブル放送テレビ信号、又は衛星放送テレビ信号に含まれるニュース・チッカ、スポーツ・チッカ、及び株価速報チッカが含まれる。
【０００４】
前述のチッカは一般に、テレビ信号と同じアナログ又はディジタル信号に符号化される。例えば、ＡＴＳＣディジタル・テレビ信号の場合、１つのケースでは、グラフィックス生成器又は他の機構が、制作スタジオ（又は他の場所）においてチッカを生成し、次いで、チッカをテレビ・ビデオ信号と合成することができる。合成ビデオは次いで、ＭＰＥＧストリームにおいて放送されるビデオ情報内にチッカが埋め込まれるように動画像専門家グループ（ＭＰＥＧ）ディジタル符号化で符号化される。チッカが埋め込まれたテレビ信号は次いで視聴者に放送される。
【０００５】
前述のチッカは、送信端でビデオ信号に埋め込まれるので、チッカのコンテンツ又は処理に対するコントロールをユーザ又は視聴者は有しない。このことは、チッカのコンテンツ及び／又は処理に対する視聴者の不満につながり得る。
【０００６】
よって、例えば、株価チッカに多くの株式が存在している場合、視聴者は、関心のある株式を見るまで、その視聴者にとって関心がない多くの株式がスクロールする非常に長い時間の間、待たなければならないことがあり得る。更に、一部の視聴者は、チッカにおける１つ又は複数の項目に関して、より詳細な（すなわち、より拡張された品質の）情報を欲しいことがあり得る。他の視聴者の場合、現在のチッカには、関心項目についての情報が全くない。
【０００７】
要するに、現行のチッカ・ソリューションは、ビデオ・ストリームに埋め込まれたチッカに基づき、よって、ユーザ側でチッカ・データを扱ううえでの柔軟性を何らもたらさない。よって、現行のチッカ・ソリューションは、ユーザ側では、ユーザによって望まれる情報がチッカ上で生じるまでユーザが受動的に待つことを余儀なくし、ディスプレイから情報が消えるまでの間に情報を十分すばやく読むことを期待している。
【０００８】
一方、対話機能を備えた拡張プラットフォーム（マルチメディア・ホーム・プラットフォーム（ＭＨＰ）、オープンケーブル・アプリケーション・プラットフォーム（ＯＣＡＰ）、電波産業会（ＡＲＩＢ）のアプリケーション実行エンジン・プラットフォームなど）が利用可能になってきている。更に、ディジタル・テレビ放送信号は次いで、汎用データ信号を放送信号に多重化することが可能である。例えば、米国では、高度テレビ標準委員会（ＡＴＳＣ）は、ＡＴＳＣ  Ｄａｔａ  Ｂｒｏａｄｃａｓｔ  Ｓｔａｎｄａｒｄ  Ｄｏｃ．  Ａ／９０（ＩＳＯ／ＩＥＣ  １３８１８−６：  １９９８／ＡＭｄ  ２：  ２０００も参照されたい）を採用している。前述の標準によれば、データ・ストリームをビデオ・ストリーム及びオーディオ・ストリームと多重化して多重化伝送を構成することができる。前述のデータ・ストリームは例えば、テレビ番組に関連付けられた拡張サービス又は対話型サービスのデータを含み得る。
【０００９】
しかし、更に物事を複雑にしているのは、対話機能を有する拡張プラットフォーム上で一部の視聴者が視聴し始めている一方で、多く又は大半の視聴者は、多重化伝送に含まれるデータ・ストリームにおいて利用可能なデータ全てを使用することが可能な訳でないディジタル・テレビ受信器の場合でも、レガシーの「ダム・ディスプレイ」装置をなお使用している。
【発明の開示】
【発明が解決しようとする課題】
【００１０】
よって、テレビ信号の拡張チッカ・アプリケーションを提供することが望ましい。更に、レガシー・ディスプレイ装置のチッカ機能を維持しながら、対話型装置の拡張チッカ機能を提供する前述のアプリケーションを提供することも望ましい。本発明は、前述の課題の１つ又は複数を解決することに関する。本発明は、ユーザがチッカ・データを柔軟に扱う機会を提供することにより、現在のチッカ・ソリューションの欠点を解決する。
【課題を解決するための手段】
【００１１】
本発明の一局面では、情報チッカを含むテレビ信号を送信する方法は、第１のチッカ・データを含むチッカをビデオ・ストリームに埋め込む工程と、第２のチッカ・データを別個のデータ・ストリームに含める工程と、前記ビデオ・ストリーム、及び別個のデータ・ストリームを多重化して、ディジタル・テレビ多重化伝送を生成する工程と、ディジタル・テレビ多重化伝送を含む放送テレビ信号を放送する工程であって、ディジタル・テレビ多重化伝送が、ビデオ・ストリーム及び別個のデータ・ストリームを含む工程とを更に含み、第１のチッカ・データを含むチッカがビデオ・ストリームに埋め込まれ、第２のチッカ・データは別個のデータ・ストリームに含まれる。
【００１２】
これは、ビデオ・ストリームから分離された別個のデータ・ストリームにおいて第２のチッカ・データが供給されることを意味する。受信ビデオ・ストリームから容易に抽出（逆多重化）することが可能であるので、このことは、ユーザ側の受信器が第２のチッカを柔軟に扱うことを可能にする。第２のチッカ・データを切り離したおかげで、その制限を備えたビデオ・ストリームに埋め込まれた現在の第１のチッカ・データと、別個のデータ・ストリームにおいて供給される第２のチッカ・データとの間で選ぶ機会をユーザが与えられ、よって、広範囲の新たな拡張チッカ・アプリケーションを第２のチッカに施すことが可能になる。
【００１３】
更なるソース・データを第２のチッカに含める必要がある場合、以下のことが生じる。ビデオ・ストリームに埋め込まれた第１のチッカ・データを含むチッカは、変わらない状態に留まる。第２のチッカ・データは、新たなソース・データを含めるよう修正される。
その後、修正されたチッカ・データが、別個のデ―タ・ストリームに含まれる。多重化器は、２つのストリーム（すなわち、第１のチッカが埋め込まれたビデオ・ストリーム、及び、第２のチッカを有する別個のデータ・ストリーム）を、ディジタル・テレビ多重化伝送に合成し、このディジタル・テレビ多重化伝送は更に放送される。
【００１４】
第２のチッカを第１のチッカと切り離し、第２のチッカ・データを別個のデータ・ストリームにおいて送信することにより、受信器が、第２のチッカがユーザに向けて提示されるやり方において更なる自由度を有することが可能になる。第２のチッカは、ビデオ・ストリームに埋め込まれないが、それと多重化される。これにより、第１のチッカを備える表示されたビデオ・ストリームと無関係に第２のチッカを操作することが可能になる。第２のチッカは例えば、第１のチッカの隣に、又は、第１のチッカの代わりに表示することが可能である。
【００１５】
本発明の別の局面では、放送テレビ信号によって受信されたチッカ情報を処理する方法は、ビデオ・ストリーム及び別個のデータ・ストリームを含むディジタル・テレビ多重化伝送を含む放送テレビ信号を受信する工程であって、第１のチッカ・データを含む第１のチッカがビデオ・ストリームに埋め込まれ、第２のチッカ・データが別個のデータ・ストリームに含められる工程と、ディジタル・テレビ多重化伝送からビデオ・ストリームを回復する工程と、埋め込まれた第１のチッカを含む、表示するためのビデオ信号をそこから生成する工程と、第２のチッカ・データの少なくとも選択された部分を含む第２のチッカを生成する工程と、第２のチッカをビデオ信号と合成して、修正ビデオ信号を生成する工程であって、合成ビデオ信号が、第１のチッカの隣に、又は第１のチッカの代わりに第２のチッカを有する工程と、修正ビデオ信号をディスプレイ装置に供給して第２のチッカを表示する工程とを含む。
【００１６】
これにより、ユーザに向けて表示される修正ビデオ信号を生成することが可能になる。
この修正ビデオ信号は、ビデオ・ストリームに対応する信号及び第２のチッカに対応する信号を含み、よって、第２のチッカは第１のチッカの隣にあるか、又は第１のチッカを置き換える。
【００１７】
本発明の別の局面では、データ・ストリームが拡張チッカ・アプリケーションを含む方法は更に、拡張チッカ・アプリケーションをデータ・ストリームから抽出する工程と、第２のチッカを制御するよう拡張チッカ・アプリケーションを実行する工程とを含む。これにより、第２のチッカが、拡張チッカ・アプリケーションによって操作されることが可能になる。前述のアプリケーションは、チッカを表示すべき場所、チッカを表示すべきやり方等を規定することが可能である。
【００１８】
本発明の別の局面では、方法は、第２のチッカ内のデータ項目を選択し、選択されたデータ項目に対して更なる処理を行う旨の命令を視聴者から受信する工程と、選択されたデータ項目に対して更なる処理を行う工程とを更に含む。これは、チッカがディスプレイ上に表示されるやり方にユーザが影響を及ぼすことを可能にするが、更に、チッカ内に表示されているデータをユーザが操作することを可能にする。例えば、拡張チッカ・アプリケーションは、ディスプレイ画面上で、チッカの一部分の近くに「ホットスポット」を設けることができる。あるいは、選択されたデータ項目について視聴者との取引を行う（例えば、株式チッカ内の株式のシェアを購入する）ことを伴い得る。
【００１９】
本発明の別の局面では、方法は、第２のチッカの速度又は方向を変える旨の命令を視聴者から受信する工程と、それに対する応答として、第２のチッカの速度又は方向を変える工程とを更に含む。これにより、ディスプレイ上のチッカ・データの生起に対するコントロールをユーザが有することが可能になる。ユーザ・インタフェースを介して与えられるユーザ命令に応じて、拡張チッカ・アプリケーションは、第２チッカを一時停止し、早送りし、又は、逆送りすることができる。このようにして、ユーザは、第２のチッカに含まれる所望の情報をすばやく、かつ容易な操作で割り当てることが可能である。
【発明を実施するための最良の形態】
【００２０】
更なる局面及び他の局面は、以下の説明から明らかになるであろう。
【実施例】
【００２１】
次に、本発明を、添付図面を参照して以下に詳細に説明する。添付図面には、本発明の好ましい実施例を示す。しかし、本発明は、種々の形態で実施することができ、本明細書及び特許請求の範囲記載の実施例に限定されるものと解されるべきでない。むしろ、前述の実施例は、本発明の教示例として記載している。
【００２２】
図１は、放送テレビ送信器１００の一実施例の機能ブロック図である。当業者が分かるように、図１に示す種々の「部分」は、ソフトウェア制御されたマイクロプロセッサ、配線された論理回路、又はそれらの組合せを使用して物理的に実現することができる。更に、上記部分は、図１中、説明の目的で機能的に分けているが、何れの物理的な実現形態でも組み合わせることができる。更に、放送テレビ送信器１００の多くの一般的な部分であって、以下の記載に適切でない部分（例えば、電源）は、話を単純にするために省略している。
【００２３】
放送テレビ送信器１００は、１つ又は複数のデータ・ソース１０５と、第１のチッカ生成器１１０と、第２のチッカ生成器１２０と、グラフィックス生成器１３０と、ビデオ・プロセッサ１４０と、オーディオ・プロセッサ１５０と、データ・プロセッサ１６０と、多重化器１７０と、変調器１８０と、増幅器１９０と、送信アンテナ１９５とを含む。
【００２４】
動作上、データはデ―タ・ソース１０５によって受信される。前述のデータは、ニュースの見出し、スポーツのシーン、株価速報等を含み得る。
【００２５】
データ・ソース１０５によって受信されたデータは次いで、第１のチッカ・データ生成器１１０及び第２のチッカ・データ生成器１２０に供給される。チッカ生成器１１０、１２０は、データ・ソース１０５によって受信されるデータの一部又は全部を含む、第１のチッカ・データ及び第２のチッカ・データそれぞれを生成する。
【００２６】
第１のチッカ生成器１１０によって生成される第１のチッカ・データは、グラフィックス生成器１３０に供給され、グラフィックス生成器１３０では、第１のチッカ・データを含むチッカがソース・ビデオ信号に埋め込まれる。第１のチッカが埋め込まれたビデオ信号は次いで、ビデオ・プロセッサ１４０に供給される。ビデオ・プロセッサ１４０には、図中、文字Ｖで示す、放送する対象のビデオを供給して、放送するためのビデオ・ストリームを生成する。
【００２７】
一方、第２のチッカ生成器１２０によって生成される第２のチッカ・データはデータ・プロセッサ１６０に供給され、データ・プロセッサ１６０では、第２のチッカ・データを他のデータ信号と合成して、放送するためのデータ・ストリームを生成する。一実施例では、データ・プロセッサ１６０は、ＡＴＳＣ  Ｄａｔａ  Ｂｒｏａｄｃａｓｔ  Ｓｔａｎｄａｒｄ  Ｄｏｃ．  Ａ／９０（ＩＳＯ／ＩＥＣ  １３８１８−  ６：  １９９８／ＡＭｄ  ２：  ２０００も参照されたい）に準拠したデータ・カルーセルを動作させる。効果的には、一実施例では、デ―タ・ストリームは、第２のチッカ・データを表示し、制御するために、特定の拡張受信器によって回復し、実行することが可能な拡張チッカ・アプリケーションも含む。拡張チッカ・アプリケーションは、コンパイルされたソフトウェア・プログラム、アプレット（例えば、ジャバ・アプレット）、若しくは「ｘｌｅｔ」又は、データ・ストリームから好都合に回復し、高度な受信器（例えば、マルチメディア・ホーム・プラットフォーム（ＭＨＰ）、オープン・ケーブル・アプリケーション・プラットフォーム（ＯＣＡＰ）等）によって実行することができる他の実施例において実施することができる。
【００２８】
図中、文字Ａで示す、放送する対象のビデオに対応するオーディオ信号は、オーディオ・プロセッサ１５０に供給される。
【００２９】
多重化器１７０は、オーディオ、ビデオ及びデータのストリームを多重化してディジタル・テレビ多重化伝送を生成する。変調器１８０は次いで、ディジタル・テレビ多重化伝送をキャリア信号に変調して放送テレビ信号を生成する。一実施例では、変調器１８０は、ディジタル・テレビ多重化伝送をキャリア信号に８−ＶＳＢ変調を使用して変調する。あるいは、米国外では、変調器１８０は、ディジタル・テレビ多重化伝送をキャリア信号に、別の変調器手法（符号化直交周波数分割多重化（ＣＯＦＤＭ）など）を使用して変調する。
【００３０】
増幅器１９０は、放送テレビを増幅し、増幅された放送テレビ信号をアンテナ１９５に供給する。アンテナ１９５は、放送テレビ信号を電波に乗せて送信する。
【００３１】
図１の実施例は、地上放送テレビ送信器に関するが、あるいは、情報チッカを含むテレビ信号は衛星又はケーブル・ヘッドエンドによって放送することが可能である。その場合、他の変調形式（例えば、Ｍ−ＱＡＭ）を使用することができる。
【００３２】
よって、放送テレビ送信器１００は、ビデオ・ストリーム及び別個のデータ・ストリームを含むディジタル・テレビ多重化伝送を含む放送テレビ信号を放送する。第１チッカ・データを含むチッカがビデオ・ストリームに埋め込まれ、第２のチッカ・データは別個のデータ・ストリームに含められる。この放送テレビ信号は、データ・ストリームの第２のチッカ・データを解釈又は表示することが可能でない第１の受信器（「ダム・ディスプレイ」）及びデータ・ストリームの第２のチッカ・データを回復し、解釈し、表示することが可能な第２の受信器（「拡張プラットフォーム」）を含む複数の受信器によって受信することができる。第１の受信器の場合、第１のチッカ・データを含む埋め込みチッカは、通常のものとして、視聴者に向けて表示される。第２の受信器の場合、拡張チッカ機能は、第１のチッカ・データとともに、又は、場合によっては、第１のチッカ・データの代わりに、第２のチッカ・データを使用することにより、視聴者に向けて供給することが可能である。
【００３３】
図２は、放送テレビ送信器２００の第１の実施例の機能ブロック図である。当業者が分かるように、図２に示す種々の「部分」は、ソフトウェア制御されたマイクロプロセッサ、配線された論理回路、又はそれらの組合せを使用して物理的に実現することができる。更に、上記部分は、図２中、説明の目的で機能的に分けているが、何れの物理的な実現形態でも組み合わせることができる。受信器２００は、受信アンテナ２９５と、増幅器２９０と、復調器２１０と、逆多重化器２２０と、オーディオ・ストリーム・プロセッサ２３０と、ビデオ・ストリーム・プロセッサ２４０と、データ・ストリーム・プロセッサ２５０と、コントローラ２６０と、ユーザ・インタフェース２７０と、ディスプレイ・ドライバ２８０とを含む。一実施例では、受信器２００は、ディスプレイ装置７０を含むテレビ受信器５０に一体化することができる。あるいは、受信器２００は、別個のディスプレイ装置７０に接続されたいわゆる「セットトップ・ボックス」として実現することができる。更に、以下の記載に適切でない、放送テレビ受信器２００の多くの一般的な部分（例えば、電源）は、話を単純にするために省略している。
【００３４】
動作上、受信器２００は、外部コネクタ（図示せず）に接続されるよう適合される。それにより、アンテナ、ケーブル等から地上ディジタル・テレビ信号、ケーブル・テレビ信号、衛星テレビ信号等などの１つ又は複数の放送テレビ信号を受信する。
【００３５】
効果的には、受信器２００は、ビデオ・ストリーム及び別個のデータ・ストリームを含むディジタル・テレビ多重化伝送を含む放送テレビ信号を受信する。第１チッカ・データを含む第１のチッカがビデオ・ストリームに埋め込まれ、第２のチッカ・データは別個のデータ・ストリームに含められる。上記放送テレビ信号を受信する場合の受信器２００の動作の説明を次に行う。
【００３６】
受信器２００では、１つ又は複数の放送テレビ信号が増幅器２０１によって増幅され、復調器２１０に更に供給される。復調器２１０は、所望の放送テレビ信号を選択し、選択された放送テレビ信号を復調して、オーディオ・ストリーム、ビデオ・ストリーム及びデータ・ストリームを含むディジタル・テレビ多重化伝送を生成する。ディジタル・テレビ多重化伝送を逆多重化器２２０によって逆多重化して、オーディオ、ビデオ、及びデータのストリームを生成する。上記ストリームは次いで、オーディオ・ストリーム・プロセッサ２３０、ビデオ・ストリーム・プロセッサ２４０及びデータ・ストリーム・プロセッサ２５０それぞれによって処理される。
【００３７】
オーディオ・ストリーム・プロセッサ２３０は、オーディオを更にオーディオ回路に供給する。
【００３８】
ビデオ・ストリームは、第１のチッカが埋め込まれたビデオ信号を含み、データ・ストリームは第２のチッカ・データを含む。効果的には、デ―タ・ストリームは、第２のチッカ・データを表示し、制御するために、受信器２００によって回復し、実行することが可能な拡張チッカ・アプリケーションも含む。拡張チッカ・アプリケーションは、コンパイルされたソフトウェア・プログラム、アプレット（例えば、ジャバ・アプレット）、又は、データ・ストリームから好都合に回復し、受信器２００により（例えば、コントローラ２６０により）、実行することができる他の実施例において実施することができる。あるいは、拡張チッカ・アプリケーションは、受信器２００に（例えば、コントローラ２６０に接続された実行可能なコード・メモリに）予めインストールすることができる。
【００３９】
一実施例では、受信器２００は、埋め込まれた第１のチッカを含むビデオ信号を生成するようビデオ・ストリームを処理する。その場合、埋め込まれた第１のチッカを含むビデオ信号をディスプレイ・ドライバ２８０によってディスプレイ装置７０に供給し、ディスプレイ装置７０では、第１のチッカが視聴者に向けて表示される。一方、受信器２００は（例えば、コントローラ２６０を介して）、拡張チッカ・アプリケーションを実行する。その場合、視聴者は、第１のチッカ内のデータ項目を選択し、上記データ項目に対する更なる処理を行う旨の命令をユーザ・インタフェース２７０を介して供給することができる。例えば、拡張チッカ・アプリケーションは、ディスプレイ画面７０上で、チッカの一部分の近くに（例えば、データ項目がディスプレイ画面７０を離れる左下に）「ホットスポット」を設けることができる。その場合、ユーザは、所望のデータ項目が「ホットスポット」にある場合に、ユーザ・インタフェース２７０の一部である、リモコン装置上のボタンを押して、更なる処理を行う対象のデータ項目を識別することができる。更なる機能は、ユーザ・インタフェース２７０を介して（例えば、リモコン上のどのボタンをユーザが押すかという選択、プルダウン画面メニュー内の項目の選択により）、受信器２００に通信することもできる。更なる処理は、選択されたデータ項目に関連付けられた更なるデータを表示することを伴い得る。更なるデータは、受信器２００により、データ・ストリーム内で受信された第２のチッカ・データに含まれる。別の場合には、更なる処理は、選択されたデータ項目に関して、視聴者との取引を行う（例えば、株式チッカ内の株式のシェアを購入する）ことを伴い得る。更に別の場合には、第１のチッカ・データが、時間を遅らせた株式市場速報データを含み得る一方、第２のチッカ・データはリアルタイム株式市場データを含む。その場合、更なる処理は、視聴者に向けて（通常、有料で）リアルタイム株式市場データを表示することを可能にすることを伴い得る。
【００４０】
あるいは、第２のチッカがテキスト・データ又はメタデータを含む場合、ユーザは例えば、前述のデータをサーチして、所望の情報をすばやく割り当て、その後、その情報を表示することが可能である。特定の情報項目のフィルタリング又は選択、テキストの処理、フォント、置換、テキスト・音声変換エンジンへの供給等などの別の処理も可能である。当然、種々の他の更なる処理が可能である。
【００４１】
別の実施例では、拡張チッカ・アプリケーションは、第２のチッカ・データの少なくとも選択された部分を含む第２のチッカを生成する。次いで、受信器２００は第２のチッカをビデオ信号と合成して修正ビデオ信号を生成する。修正ビデオ信号は、第１のチッカの代わりに第２のチッカを含む。ディスプレイ・ドライバ２８０は、第２のチッカを含む修正ビデオ信号をディスプレイ装置７０に供給する。効果的には、この場合、第２のチッカが、拡張チッカ・アプリケーションの制御下で表示される。上記の通り、拡張チッカ・アプリケーションは、データ・ストリームから回復し、受信器２００によって実行することができるか、又は受信器２００に予めインストールすることができる。この場合、効果的には、ユーザ・インタフェース２７０を介して供給されるユーザ命令に応じて、拡張チッカ・アプリケーションは第２のチッカを一時停止し、早送りし、逆送りすることができる。更に、第１の実施例と同様に、視聴者は、チッカ内のデータ項目を選択し、データ項目に対する更なる処理（例えば、選択されたデータ項目に関連付けられた更なるデータを表示する工程であって、更なるデータが、受信器２００により、データ・ストリーム内で受信された第２のチッカ・データに含まれる工程、選択されたデータ項目に関して、視聴者との取引を行う工程、視聴者に向けて（通常、有料で）リアルタイム株式市場データを表示する工程）を行う旨の命令をユーザ・インタフェース２７０を介して供給することができる。
【００４２】
よって、受信器２００は、データ・ストリームからの第２のチッカ・データを抽出し、利用し、拡張機能を視聴者に向けて供給することができる。しかし、同時に、ちょうど同じ放送テレビ信号を、第２のチッカ・データを利用することが可能でない「ダム・ディスプレイ」受信器によって受信することが可能であり、視聴者はなお、第１のチッカ・データを備えたチッカを視ることができる。
【００４３】
図３は、情報チッカを含むテレビ信号を送信する方法３００のフロー図である。
【００４４】
第１の工程３１０では、第１のチッカ・データを含む第１のチッカがビデオ・ストリームに埋め込まれる。
【００４５】
第２の工程３２０では、第２のチッカ・データが別個のデータ・ストリームに含められる。一実施例では、デ―タ・ストリームは、チッカを表示し、制御するために、受信器によって回復し、実行することが可能な拡張チッカ・アプリケーションも含む。
【００４６】
第３の工程３３０では、ビデオ・ストリーム及び別個のデータ・ストリームを多重化してディジタル・テレビ多重化伝送を生成する。
【００４７】
最後に、工程３４０では、放送テレビ信号が放送される。放送テレビ信号は、上記の通り、適切な変調形式を使用してキャリア信号に変調されたディジタル・テレビ多重化伝送を含む。同様に、ディジタル・テレビ多重化伝送は、ビデオ・ストリーム及び別個のデータ・ストリームを含む。第１のチッカ・データを含む第１のチッカがビデオ・ストリームに埋め込まれ、第２のチッカ・データが別個のデータ・ストリームに含められる。
【００４８】
図４は、放送テレビ信号によって受信されたチッカ情報を処理する方法４００の一実施例のフロー図である。
【００４９】
第１の工程４０５では、ビデオ・ストリーム及び別個のデータ・ストリームを含むディジタル・テレビ多重化伝送を含む放送テレビ信号を受信する。第１チッカ・データを含む第１のチッカがビデオ・ストリームに埋め込まれ、第２のチッカ・データは別個のデータ・ストリームに含められる。
【００５０】
次の工程４１０では、ビデオ・ストリームがディジタル・テレビ多重化伝送から回復され、埋め込まれた第１のチッカを含むビデオ信号がそれから生成される。
【００５１】
任意の工程４１５では、拡張チッカ・アプリケーションがデータ・ストリームから回復される。あるいは、拡張チッカ・アプリケーションは既に予めインストールされていることがあり得る。
【００５２】
工程４２０では、第２のチッカ・データが、ディジタル・テレビ多重化伝送のデータ・ストリームから回復される。
【００５３】
工程４２５では、第２のチッカ・データの少なくとも選択された部分を含む第２のチッカが生成される。第２のチッカをビデオ信号と合成して修正ビデオ信号を生成する。修正ビデオ信号は、第１のチッカの代わりに第２のチッカを含む。
【００５４】
工程４３０では、修正ビデオ信号をディスプレイ装置に供給して第２のチッカを表示する。
【００５５】
工程４３５では、拡張チッカ・アプリケーションは第２のチッカを制御する。
【００５６】
次いで、工程４４０では、第２のチッカにおけるデータ項目を選択し、選択されたデータ項目に関して更なる動作（例えば、選択されたデータ項目に関連付けられた更なるデータを表示する工程であって、更なるデータが、データ・ストリーム内で受信された第２のチッカ・データに含まれる工程、選択されたデータ項目に関して、視聴者との取引を行う工程、リアルタイム株式市場データを視聴者に向けて（通常、有料で）表示することを可能にする工程）を行う旨の命令を視聴者から受信する。
【００５７】
その後、工程４４５で、更なる処理が、拡張チッカ・アプリケーションにより、選択されたデータ項目に対して行われる。
【００５８】
更に、工程４５０では、第２のチッカの速度又は方向を変える旨の、視聴者の命令を受信することができる。例には、視聴者がリモコン上のボタンを押して、スクロール・チッカを早送りし、スクロール・チッカを逆送りし、スクロール・チッカを一時停止することが含まれる。
【００５９】
この命令に応じて、工程４５５で、第２のチッカの速度又は方向が、拡張チッカ・アプリケーションによって変えられる。
【００６０】
好ましい実施例を本明細書及び特許請求の範囲に記載しているが、本発明の概念及び範囲の範囲内に収まる多くの変形が可能である。前述の変形は、本願の明細書、図面及び特許請求の範囲をみた後、当業者に明らかになるであろう。したがって、本発明は、特許請求の範囲の趣旨及び範囲の範囲内を除き、限定されるものでない。
【図面の簡単な説明】
【００６１】
【図１】放送テレビ送信器の機能ブロック図である。
【図２】放送テレビ受信器の機能ブロック図である。
【図３】情報チッカを含むテレビ信号を送信する方法のフロー図である。
【図４】放送テレビ信号によって受信されたチッカ情報を処理する方法の一実施例のフロー図である。
【図５】放送テレビ信号によって受信されたチッカ情報を処理する方法の第２の実施例のフロー図である。
【図１】
2009543417.tif 000003
【図２】
2009543417.tif 000004
【図３】
2009543417.tif 000005
【図４】
2009543417.tif 000006
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
情報チッカを含むテレビ信号を受信器側のユーザに送信する方法であって、
第１のチッカ・データを含むチッカをビデオ・ストリームに埋め込む工程と、
別個のデータ・ストリームに第２のチッカ・データを含める工程と、
前記ビデオ・ストリーム及び前記別個のデータ・ストリームを多重化してディジタル・テレビ多重化伝送を生成する工程と、
前記ディジタル・テレビ多重化伝送を含む放送テレビ信号を放送する工程であって、前記ディジタル・テレビ多重化伝送は前記ビデオ・ストリーム及び前記別個のデータ・ストリームを更に含む工程とを含み、前記第１のチッカ・データを含む前記チッカが前記ビデオ・ストリームに埋め込まれ、前記第２のチッカ・データは前記別個のデータ・ストリームに含められ、
前記第２のチッカ・データは、前記受信器側のユーザが前記第１のチッカ・データ又は前記第２のチッカ・データを選ぶことを可能にするために使用されるよう適合される方法。
【請求項２】
請求項１記載の方法であって、前記多重化伝送を含む放送テレビ信号を放送する工程は、
前記ディジタル・テレビ多重化伝送をキャリア信号に８−ＶＳＢ変調を使用して変調して放送テレビ信号を生成する工程と、
前記放送テレビ信号を地上で放送する工程とを含む方法。
【請求項３】
請求項１記載の方法であって、前記多重化伝送を含む放送テレビ信号を放送する工程は、
前記ディジタル・テレビ多重化伝送をキャリア信号にＭ−ＱＡＭ変調を使用して変調して放送テレビ信号を生成する工程と、
前記放送テレビ信号をケーブル・テレビ・システムを介して放送する工程とを含む方法。
【請求項４】
請求項１記載の方法であって、前記多重化伝送を含む放送テレビ信号を放送する工程は、
前記ディジタル・テレビ多重化伝送をキャリア信号に変調して放送テレビ信号を生成する工程と、
前記放送テレビ信号を衛星伝送システムを介して放送する工程とを含む方法。
【請求項５】
請求項１記載の方法であって、前記データ・ストリームは、視聴者の命令に応じて、前記第２のチッカ・データの表示を制御するために、受信器によって回復し、実行することが可能な拡張チッカ・アプリケーションを含む方法。
【請求項６】
請求項５記載の方法であって、前記拡張チッカ・アプリケーションは、第１のチッカにオーバレイする第２のチッカを生成するよう適合され、前記拡張チッカ・アプリケーションは、前記第２のチッカの表示を一時中断し、早送りし、逆送りするよう適合された方法。
【請求項７】
受信器側で放送テレビ信号によって受信されたチッカ情報を処理する方法であって、
ビデオ・ストリーム及び別個のデータ・ストリームを含むディジタル・テレビ多重化伝送を含む放送テレビ信号を受信する工程であって、第１のチッカ・データを含む第１のチッカが前記ビデオ・ストリームに埋め込まれ、第２のチッカ・データが前記別個のデータ・ストリームに含められる工程と、
前記ビデオ・ストリームを前記ディジタル・テレビ多重化伝送から回復し、前記埋め込まれた第１のチッカを含む、表示するためのビデオ信号をそこから生成する工程と、
前記第２のチッカ・データを前記ディジタル・テレビ多重化伝送の前記データ・ストリームから回復する工程と、
前記第２のチッカ・データの少なくとも選択された部分を含む第２のチッカを生成する工程と、
前記第２のチッカを前記ビデオ信号と合成して修正ビデオ信号を生成する工程であって、前記修正ビデオ信号が、前記第１のチッカの隣に、又は前記第１のチッカの代わりに前記第２のチッカを含む工程と、
前記修正ビデオ信号をディスプレイ装置に供給して前記第２のチッカを表示する工程とを含み、
前記第２のチッカの生起が、ユーザによって操作され、前記受信器側のユーザが前記第１のチッカ・データ又は前記第２のチッカ・データを選ぶことが可能である方法。
【請求項８】
請求項７記載の方法であって、前記データ・ストリームは拡張チッカ・アプリケーションを含み、
前記拡張チッカ・アプリケーションを前記データ・ストリームから抽出する工程と、
前記第２のチッカを制御するよう前記拡張チッカ・アプリケーションを実行する工程とを更に含む方法。
【請求項９】
請求項７記載の方法であって、
前記第２のチッカ内のデータ項目を選択し、前記選択されたデータ項目に対して更なる処理を行う旨の命令を視聴者から受信する工程と、
前記選択されたデータ項目に対して前記更なる処理を行う工程とを更に含む方法。
【請求項１０】
請求項９記載の方法であって、前記更なる処理は、
前記選択されたデータ項目に関連付けられた更なるデータを表示する工程を含み、前記更なるデータは、前記第２のチッカ・データに含まれる方法。
【請求項１１】
請求項９記載の方法であって、前記更なる処理は、前記選択されたデータ項目に関して前記視聴者との取引を行う工程を含む方法。
【請求項１２】
請求項９記載の方法であって、前記第２のチッカ・データは、時間遅延させた株式市場速報データ及びリアルタイム株式市場データを含み、前記更なる処理は、前記リアルタイム株式市場データを前記視聴者に向けて表示することを可能にする工程を含む方法。
【請求項１３】
請求項７記載の方法であって、
前記第２のチッカの速度又は方向を変える旨の命令を視聴者から受信する工程と、
それに応じて、前記第２のチッカの速度又は方向を変える工程とを更に含む方法。
【請求項１４】
情報チッカを含むテレビ信号を受信器側のユーザに送信する放送テレビ送信器であって、
第１のチッカを含むチッカをビデオ・ストリームに埋め込む手段と、
第２のチッカ・データを別個のデータ・ストリームに含める手段と、
前記ビデオ・ストリーム及び前記別個のデータ・ストリームを多重化してディジタル・テレビ多重化伝送を生成する手段と、
前記ディジタル・テレビ多重化伝送を含む放送テレビ信号を放送する放送手段であって、前記ディジタル・テレビ多重化伝送は前記ビデオ・ストリーム及び前記別個のデータ・ストリームを更に含む放送手段とを備え、第１のチッカ・データを含む前記チッカが前記ビデオ・ストリームに埋め込まれ、前記第２のチッカ・データが前記別個のデータ・ストリームに含められ、
前記第２のチッカ・データは、前記受信器側のユーザが前記第１のチッカ・データ又は前記第２のチッカ・データを選ぶことを可能にするために使用されるよう適合される放送テレビ送信器。
【請求項１５】
受信器側で放送テレビ信号によって受信されたチッカ情報を処理する放送テレビ受信器であって、
ビデオ・ストリーム及び別個のデータ・ストリームを含むディジタル・テレビ多重化伝送を含む放送テレビ信号を受信する手段であって、第１のチッカ・データを含む第１のチッカが前記ビデオ・ストリームに埋め込まれ、第２のチッカ・データが前記別個のデータ・ストリームに含められる手段と、
前記ビデオ・ストリームを前記ディジタル・テレビ多重化伝送から回復し、前記埋め込まれた第１のチッカを含む、表示するためのビデオ信号をそこから生成する手段と、
前記第２のチッカ・データを前記ディジタル・テレビ多重化伝送の前記データ・ストリームから回復する手段と、
前記第２のチッカ・データの少なくとも選択された部分を含む第２のチッカを生成する手段と、
前記第２のチッカを前記ビデオ信号と合成して修正ビデオ信号を生成する手段であって、前記修正ビデオ信号が、前記第１のチッカの代わりに前記第２のチッカを含む手段と、
前記修正ビデオ信号をディスプレイ装置に供給して前記第２のチッカを表示する手段と、
前記受信器のユーザが前記ビデオ信号の修正を制御することを可能にするユーザ・インタフェースであって、前記修正ビデオ信号は、前記第１のチッカ・データ又は前記第２のチッカ・データから選ばれる放送テレビ受信器。
【請求項１６】
請求項１５記載の放送テレビ受信器であって、前記拡張チッカ・アプリケーションを前記データ・ストリームから抽出する手段、及び前記第２のチッカを制御するよう前記拡張チッカ・アプリケーションを実行する手段を更に備える放送テレビ受信器。
【請求項１７】
請求項１５記載の放送テレビ受信器であって、前記第２のチッカ内のデータ項目を選択し、前記選択されたデータ項目に関する更なる処理を行う旨の命令を視聴者から受信する手段、及び前記選択されたデータ項目に関する前記更なる処理を行う手段を更に備える放送テレビ受信器。
【請求項１８】
請求項１５記載の放送テレビ受信器であって、前記第２のチッカの速度又は方向を変える旨の命令を視聴者から受信し、それに応じて、前記第２のチッカの速度又は方向を変える放送テレビ受信器。
【国際調査報告】
2009543417.tif 000007
2009543417.tif 000008